(57)【要約】【課題】呼制御プロトコルを実装したファクシミリ装置において、宛先情報の入力間違いなどにより、ユーザの意図しない相手先へ原稿の画像データが誤送信されることを未然に防止するファクシミリ装置を提供すること。【解決手段】画像データを送信すべき相手先の宛先情報を入力する入力手段と、画像データの送信に先立って、前記入力手段により入力された前記宛先情報の装置１Ｂに対して、装置１Ｂの識別情報Ｘを要求するテキストデータ形式のコマンドＺをＳＩＰメソッドにより送信するコマンド送信手段と、前記宛先情報の装置からテキストデータ形式の前記コマンドＺに対する応答をＳＩＰメソッドにより受信する応答受信手段と、受信した前記応答の内容を表示する表示手段と、を備えるファクシミリ装置１Ａ。【選択図】図５
2006100966.tif 000002
【特許請求の範囲】
【請求項１】
画像データを送信すべき相手先の宛先情報を入力する入力手段と、画像データの送信に先立って、前記入力手段により入力された前記宛先情報の装置に対して、装置の識別情報を要求するテキストデータ形式のコマンドを呼制御プロトコルのメソッドにより送信するコマンド送信手段と、前記宛先情報の装置からテキストデータ形式の前記コマンドに対する応答を呼制御プロトコルのメソッドにより受信する応答受信手段と、受信した前記応答の内容を出力する出力手段と、を備えることを特徴とするファクシミリ装置。
【請求項２】
装置の識別情報を要求するテキスト形式のコマンドを呼制御プロトコルのメソッドにより受信するコマンド受信手段と、該手段により前記コマンドを受信した場合に、自装置に登録されている自装置のテキストデータ形式の識別情報を読み出して、呼制御プロトコルのメソッドにより前記コマンドの送信元へ返信する返信手段と、を備えることを特徴とするファクシミリ装置。
【請求項３】
前記装置の識別情報には、当該装置のユーザ名称が含まれることを特徴とする請求項２記載のファクシミリ装置。
【発明の詳細な説明】
【技術分野】
【０００１】
本発明は、ＳＩＰ（Session  Initiation  Protocol）等の呼制御プロトコルを実装したファクシミリ装置に関し、特にＩＰ電話番号等の宛先情報の入力間違いにより原稿が誤送信されることを未然に防止するファクシミリ装置に関する。
【背景技術】
【０００２】
近年、ＩＰ網を通じて画像データの送信を行うファクシミリ装置が普及しつつある。例えば特許文献１に開示されているファクシミリ装置は、ＩＴＵ−Ｔ勧告Ｔ．３８に準拠したＩＰファクシミリ通信機能を備え、ＩＰ網を通じて、原稿の画像データを送受信することができる。
【０００３】
ＩＰ網を通じて画像データの送信を行えば、電話回線を通じて画像データを送信するよりも格段に通信費を安く抑えることができることから、近年、企業等では通信コストの削減を目的としてＩＰ網を通じて画像データを送信するファクシミリ装置を導入する傾向にある。
【０００４】
【特許文献１】特開２００２−１０１２５６号公報
【発明の開示】
【発明が解決しようとする課題】
【０００５】
電話回線を通じて画像データを送信するＧ３ファクシミリ装置などと同様に、ＩＰ網を通じて画像データを送信するファクシミリ装置もユーザは送信に際して、電話番号やメールアドレスなどの宛先情報を指定する必要があり、宛先情報の入力を間違えば、ユーザの意図しない相手へ大切な原稿の画像データが送信されるという問題がある。
【０００６】
本発明は、かかる問題に鑑みてなされたものであり、呼制御プロトコルのメソッドによりテキストデータを送受信する機能を備えたファクシミリ装置において、宛先情報の入力間違いなどにより、ユーザの意図しない相手先へ原稿の画像データが誤送信されることを未然に防止するファクシミリ装置を提供することを目的とする。
【課題を解決するための手段】
【０００７】
上記目的を達成するために、請求項１記載のファクシミリ装置は、画像データを送信すべき相手先の宛先情報を入力する入力手段と、画像データの送信に先立って、前記入力手段により入力された前記宛先情報の装置に対して、装置の識別情報を要求するテキストデータ形式のコマンドを呼制御プロトコルのメソッドにより送信するコマンド送信手段と、前記宛先情報の装置からテキストデータ形式の前記コマンドに対する応答を呼制御プロトコルのメソッドにより受信する応答受信手段と、受信した前記応答の内容を出力する出力手段と、を備えることを特徴としている。
【０００８】
請求項２記載のファクシミリ装置は、装置の識別情報を要求するテキスト形式のコマンドを呼制御プロトコルのメソッドにより受信するコマンド受信手段と、該手段により前記コマンドを受信した場合に、自装置に登録されている自装置のテキストデータ形式の識別情報を読み出して、呼制御プロトコルのメソッドにより前記コマンドの送信元へ返信する返信手段と、を備えることを特徴としている。
【０００９】
請求項３記載のファクシミリ装置は、請求項２記載のファクシミリ装置において、前記装置の識別情報には、当該装置のユーザ名称が含まれることを特徴としている。
【発明の効果】
【００１０】
請求項１記載のファクシミリ装置を送信側、請求項２記載のファクシミリ装置を受信側とすれば、画像データの送信に先立って、ユーザに入力された宛先情報の装置の識別情報が出力されるので、ユーザは出力された識別情報を見て、入力した宛先情報が正しいか否かを確認することができる。これにより、大切な原稿が第三者に誤送信されることを未然に防止することができる。
【００１１】
請求項１記載のファクシミリ装置を送信側、請求項３記載のファクシミリ装置を受信側とすれば、上記した利点が得られるほか、出力される相手装置の識別情報に当該装置のユーザ名称が含まれるので、入力した宛先情報が正しいか否かを更に簡単に確認することができる。
【発明を実施するための最良の形態】
【００１２】
以下本発明の実施の形態に係る通信装置として、呼制御プロトコルを利用して原稿の画像データを送受信するＩＰファクシミリ通信機能、Ｇ３ファクシミリ通信機能、クライアント装置からの要求に応じて前記各種のファクシミリ通信を行うファクシミリサーバ機能等を備える複合機型のファクシミリ装置を例に挙げて説明する。
【００１３】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１４】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、ファクシミリ装置１自身の識別情報Ｘが登録されている。この識別情報としては、ファクシミリ装置１が設置されている住所、ファクシミリ装置１のユーザ名称（氏名、会社名称、部署名など）、ファクシミリ装置１に割り当てられているＰＳＴＮ（公衆交換電話網）用電話番号やＩＰ電話番号、メールアドレスなどが登録されている。また、ファクシミリ装置１のユーザ名称に併せて会社の部署名やファクシミリ装置１のユーザの電話番号の登録もできるようになっている。なお、前記識別情報は、ファクシミリ装置１のユーザを確認できる情報であればよく、上記したものに限定されない。
【００１５】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。
【００１６】
読取部９は、原稿の画像データを読取るものであり、例えば、ＣＣＤカラーラインセンサ、Ａ／Ｄコンバータ、画像処理回路等で構成される。記録部１０は、受信画像データ、読取部９で読取った画像データ等を記録紙上に記録する。表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、テンキー、短縮キー、ワンタッチキー、スタートキー、文字入力キー、ファンクションキーなど各種の操作キーを具備する。ユーザによる各種の操作は、この操作部１２において行われる。
【００１７】
ＬＡＮインタフェース１３は、ファクシミリ装置１とＬＡＮ（ローカルエリアネットワーク）１６とを接続するインターフェースであり、これを通じてファクシミリ装置１は、同じくＬＡＮ１６に接続されたクライアントＰＣ１７、ルータ１８等と通信を行う。更にはルータ１８を通じてＩＰ網１９上にある、ＳＩＰを実装した他のファクシミリ装置１と原稿の画像データ等の送受信を行うことができる。
【００１８】
上記構成を備えるファクシミリ装置１は、ＴＣＰ／ＩＰ、ＳＩＰ、ＲＴＰ（Real-time  Transport  Protocol）、ＳＤＰ（Session  Description  Protocol）、ＳＭＴＰ（Simple  Mail  Transfer  Protocol）などを実装して、ＳＩＰによりメディアセッションを確立した上で、例えばＲＴＰにより原稿の画像データを相手先と送受信したり、ＳＩＰメソッド「ＭＥＳＳＡＧＥ」などを利用して相手先とテキストデータの送受信を行う。また、ＳＭＴＰにより原稿の画像データを電子メールにて送受信するインターネットファクシミリ機能をも備える。
【００１９】
つぎに、上記構成及び機能を備えるファクシミリ装置１において、原稿の画像データを送信する際に実行される送信側のファクシミリ装置１の処理動作と、その原稿の画像データを受信する受信側のファクシミリ装置１の処理動作について図２乃至図５に示すフローチャート又はシーケンス図に基づいて説明する。なお、これらの図に基づいて説明するファクシミリ装置１の処理動作は、ＲＯＭ３に格納された制御プログラムに基づいて制御手段であるＣＰＵ２が発行する命令に従って実行される。以下説明の便宜のため発呼側となる送信側のファクシミリ装置１を送信機１Ａ、被呼側となる受信側のファクシミリ装置１を受信機１Ｂと称して説明する。また、以下の説明では、ファクシミリ装置１において各種操作や表示出力がなされるものとして説明するが、勿論、クライアントＰＣ１７においてファクシミリ装置１のファクシミリ送受信サービスを利用する場合は、クライアントＰＣ１７において各種操作や表示出力がなされる。
【００２０】
まず、送信機１Ａの操作部１２において、原稿の画像データを送信するために、ＩＰ電話番号、メールアドレス等の宛先情報が入力指定され、あるいは、予め入力されて装置内部に登録されている短縮番号やワンタッチダイヤルが指定される（Ｓ１：ＹＥＳ）。すると、ファクシミリ装置１は、原稿の画像データを送信するに先立って、入力された宛先情報の確認処理を実行するか否かをユーザに問い合わせる情報を、例えば表示部１１に表示することにより出力する（Ｓ２）。例えば、入力した宛先情報が正しいか否かの確認処理を実行しますか？はい、いいえを選択していください。」などのメッセージを表示部１１に表示する。
【００２１】
ユーザの操作により、宛先情報の確認処理を実行すべきことを指定する操作がなされ、ファクシミリ装置１がその指定を受付けると（Ｓ３：ＹＥＳ）、入力された宛先情報の装置に対してＳＩＰメソッド「ＭＥＳＳＡＧＥ」により、装置の識別情報を要求するテキストデータ形式のコマンド、例えば図４に示すようなテキストデータ形式のコマンドＺを送信する（Ｓ４）。なお、入力された宛先情報がメールアドレスである場合は、これをＤＮＳサーバ（不図示）に提示して宛先ＩＰアドレスを取得し、その宛先ＩＰアドレス宛にＳＩＰ（呼制御プロトコル）のポート番号を指定して前記「ＭＥＳＳＡＧＥ」が送信される。テキストデータ形式のコマンドを送受信するためのＳＩＰメソッドは、「ＭＥＳＳＡＧＥ」に限定されず、「ＩＮＦＯ」、「ＳＵＢＳＣＲＩＢＥ」、「ＮＯＴＩＦＹ」などテキストデータを送信することができるものであればよい。後述する「ＭＥＳＳＡＧＥ」の送受信も同様である。
【００２２】
図４に示すように、送信機１ＡからＳＩＰメソッド「ＭＥＳＳＡＧＥ」により送出されたテキスト形式のコマンドＺは、ＳＩＰサーバ２１を介して受信機１Ｂに受信される（Ｔ１）。受信機１Ｂは、ＳＩＰメソッド「ＭＥＳＳＡＧＥ」によりテキスト形式のコマンドＺを受信すると（Ｓ５１：ＹＥＳ）、受信機１Ｂに登録されている自装置１Ｂのテキストデータ形式の識別情報ＸをＲＡＭ４から読み出し（Ｓ５２）、これをＳＩＰメソッド「ＭＥＳＳＡＧＥ」により送信機１Ａに返信する（Ｓ５３、Ｒ１）。
【００２３】
送信機１Ａは、受信機１Ｂから前記Ｓ４で送信したコマンドに対するテキストデータ形式の応答をＳＩＰメソッド「ＭＥＳＳＡＧＥ」により受信すると（Ｓ５：ＹＥＳ）、受信データの中から受信機１Ｂの識別情報Ｘを抽出してその内容を例えば表示部１１に表示することにより出力する（Ｓ６）。例えば、図４に示すような識別情報Ｘを受信した場合は、相手装置の住所、ユーザ名称（会社名、部署名）、ファクシミリ番号、ＩＰ電話番号及びメールアドレスが出力され、併せて、相手装置のユーザのＰＳＴＮ用電話番号も出力される。送信機１のユーザは、これら情報が原稿を送信しようとしている相手先装置の情報であるかを確認し、意図する相手先の情報と異なれば、入力した宛先情報や予め短縮番号等に登録した宛先情報が間違っていることに気付くことができる。
【００２４】
一方、送信機１Ａは、受信機１Ｂから前記Ｓ４で送出したコマンドに対する応答を一定時間内に受信しなかった場合は（Ｓ５：ＮＯ）、その旨の情報を、例えば表示部１１に表示することにより出力する（Ｓ７）。Ｓ７の出力内容としては、例えば、「応答がありません。入力した宛先情報が間違っていないか確認して下さい。」などのメッセージが出力される。
【００２５】
次いで、送信機１Ａにおいて、前記Ｓ１において入力した宛先情報を編集する操作があると（Ｓ８：ＹＥＳ）、送信機１Ａはこれを受付けて前記Ｓ１において入力された宛先情報を編集し（Ｓ１０）、処理をＳ２に戻して編集後の宛先情報の確認処理を実行するか否かをユーザに問い合わせる情報を、例えば表示部１１に表示することにより出力する（Ｓ２）。そして、宛先情報の確認処理を実行すべきことを指定する操作がなされ、ファクシミリ装置１がその指定を受付けると（Ｓ３：ＹＥＳ）、前記Ｓ４乃至Ｓ８の処理動作を再度実行する。
【００２６】
前記Ｓ８において、前記Ｓ１において入力した宛先情報を編集する操作がされることなく（Ｓ８：ＮＯ）、送信を開始すべき操作、例えば操作部１２のスタートキーの押下がなされた場合（Ｓ９：ＹＥＳ）、及び、前記Ｓ３において宛先情報の確認処理を実行しないことを指定する操作がなされ（Ｓ３：ＮＯ）、さらに送信を開始すべき操作がなされた場合は（Ｓ９：ＹＥＳ）、原稿の画像データの送信処理が開始される。一方、送信のキャンセル操作がなされたり、一定時間送信を開始すべき操作が成されなかった場合は、Ｓ１に処理が戻される。
【００２７】
原稿の画像データの送信処理は、本実施の形態においては、前記Ｓ１で宛先情報としてメールアドレスが指定された場合に、ＳＭＴＰが利用して行われ、宛先情報としてＩＰ電話番号が入力指定された場合にはＳＩＰが利用して行われるようになっているが、ＩＰ網を通じて相手先に送信するものであればこれらに限定されない。例えば、ＨＴＴＰ通信機能をファクシミリ装置１に実装し、宛先情報としてＵＲＩを入力してＨＴＴＰにより画像データを送信できるようにしてもよい。
【００２８】
原稿の画像データをＳＩＰを利用して送信する場合は、図５に示すようなセッションが、送信機１Ａと受信機１Ｂの間で形成される。すなわち、セッション参加リクエストであるＳＩＰメソッド「ＩＮＶＩＴＥ」の送受信（Ｔ３）、応答コードの送受信（Ｒ２）、「ＩＮＶＩＴＥ」に対する最終レスポンスを示すＳＩＰメソッド「ＡＣＫ」の送受信（Ｔ４）が送信機１Ａと受信機１Ｂとの間で形成されメディアセッションが確立された上で、送信機１Ａから受信機１Ｂへ原稿の画像データが送信される。原稿の画像データの送信完了後は、送信機１Ａから受信機１Ｂに対してセッション終了を要求するＳＩＰメソッド「ＢＹＥ」が送信され（Ｔ５）、応答レスポンスが受信機１Ｂから送信機１Ａに返信された後（Ｒ３）、セッションが切断される。
【００２９】
以上説明した実施の形態においては、呼制御プロトコルの一例としてＳＩＰを例に挙げて説明したが、原稿の画像データを送信するに先立ってテキストデータ形式のコマンドを相手先と送受信することができるものであれば、勿論、その他の呼制御プロトコルを採用してもよい。
【産業上の利用可能性】
【００３０】
本発明は、例えば、ＳＩＰなどの呼制御プロトコルを利用して、テキストデータを送受信することができるファクシミリ装置に適用することができる。
【図面の簡単な説明】
【００３１】
【図１】本発明の実施の形態に係るファクシミリ装置の構成例等を示したブロック図である。
【図２】本発明の実施の形態に係るファクシミリ装置が、宛先情報の入力が行われた場合に実行する処理動作を示したフローチャートである。
【図３】本発明の実施の形態に係るファクシミリ装置が、装置の識別情報を要求するテキストデータ形式のコマンドを受信した場合に実行する処理動作を示したフローチャートである。
【図４】送信機において宛先情報の入力が行われた場合に、送信機と受信機の間で形成されるＳＩＰによる通信手順を示したシーケンス図である。
【図５】送信機において宛先情報の入力が行われ、更に、送信処理が行われる場合に、送信機と受信機の間で形成されるＳＩＰによる通信手順を示したシーケンス図である。
【符号の説明】
【００３２】
Ｘ    装置の識別情報
Ｚ    装置の識別情報を要求するテキストデータ形式のコマンド
１、１Ａ、１Ｂ    ファクシミリ装置
２    ＣＰＵ
３    ＲＯＭ
４    ＲＡＭ
１１    表示部
１２    操作部
２１  ＳＩＰサーバ
【図１】
2006100966.tif 000003
【図２】
2006100966.tif 000004
【図３】
2006100966.tif 000005
【図４】
2006100966.tif 000006
【図５】
2006100966.tif 000007